(57)【要約】【課題】印刷対象データを複数の印刷媒体に分割して印刷する際の処理を簡便にする。【解決手段】撮像装置３００であって、印刷対象となる印刷対象データを取得する画像取得部７ａと、取得された印刷対象データを印刷媒体に印刷する際の印刷寸法を特定する第２印刷寸法特定部３０７ｃと、印刷対象データを印刷する印刷媒体の寸法を特定する印刷媒体寸法特定部３１３と、特定された印刷寸法と印刷媒体の寸法とに基づいて印刷対象データを印刷する際に複数の印刷媒体に分割するか否かを判別する分割判別部３０７ｇと、を備えている。【選択図】図７
2014068333.tif 000002
【特許請求の範囲】
【請求項１】
印刷対象となる印刷対象データを取得する取得手段と、
前記取得手段により取得された印刷対象データを印刷媒体に印刷する際の印刷寸法を特定する第１の特定手段と、
前記印刷対象データを印刷する印刷媒体の寸法を特定する第２の特定手段と、
前記第１の特定手段により特定された印刷寸法と前記第２の特定手段により特定された印刷媒体の寸法とに基づいて前記印刷対象データを印刷する際に複数の印刷媒体に分割するか否かを判別する判別手段と、
を備えたことを特徴とする印刷制御装置。
【請求項２】
前記判別手段の判別結果に基づいて、前記印刷対象データを前記第１の特定手段により特定された印刷寸法で、前記第２の特定手段により特定された寸法の一又は複数の印刷媒体に印刷するための一又は複数の画像ファイルを生成する生成手段を更に備えることを特徴とする請求項１に記載の印刷制御装置。
【請求項３】
前記生成手段は、更に、前記印刷対象データを前記第１の特定手段により特定された印刷寸法で、前記第２の特定手段により特定された寸法の印刷媒体に印刷する際の印刷内容を決定し、当該印刷内容に従って前記一又は複数の画像ファイルを生成することを特徴とする請求項２に記載の印刷制御装置。
【請求項４】
前記取得手段により取得される印刷対象データは、撮像手段により撮像された画像の特定の被写体部分を含む画像データであって、
前記第１の特定手段は、更に、前記特定の被写体の実寸法を特定する実寸法特定手段を有し、前記取得手段により取得された画像データに含まれる前記特定の被写体部分を前記実寸法特定手段により特定された当該特定の被写体の実寸法で印刷媒体に印刷する際の前記画像データの印刷寸法を特定することを特徴とする請求項３に記載の印刷制御装置。
【請求項５】
前記第１の特定手段は、前記取得手段により取得された印刷対象データに対応付けられている情報に基づいて印刷寸法を特定することを特徴とする請求項３に記載の印刷制御装置。
【請求項６】
前記第１の特定手段は、ユーザによる操作部の所定操作に基づいて指定された印刷寸法を特定することを特徴とする請求項３に記載の印刷制御装置。
【請求項７】
前記生成手段は、前記印刷対象データを複数の印刷媒体に分割すると前記判別手段により判別された場合に、複数のファイルに分割して前記画像ファイルを複数生成することを特徴とする請求項３〜６の何れか一項に記載の印刷制御装置。
【請求項８】
前記生成手段により生成された前記複数の画像ファイルを関連付ける関連付け手段を更に備えることを特徴とする請求項７に記載の印刷制御装置。
【請求項９】
前記複数の画像ファイルの各々は、前記印刷対象データが複数の部分に分割された分割画像のデータを有し、
前記分割画像のデータは、分割位置に応じて糊代部を有することを特徴とする請求項７又は８に記載の印刷制御装置。
【請求項１０】
前記生成手段は、前記印刷媒体に前記印刷対象データを前記第１の特定手段により特定された印刷寸法で印刷する際の当該印刷対象データを構成する画素のピッチを前記印刷内容として決定することを特徴とする請求項３〜９の何れか一項に記載の印刷制御装置。
【請求項１１】
前記生成手段は、更に、前記印刷対象データを構成する画素数、前記画像内で特定の被写体の占める比率に基づいて、前記印刷媒体に特定の被写体部分を前記第１の特定手段により特定された印刷寸法で印刷する際の当該特定の被写体部分を構成する画素のピッチを前記印刷内容として決定することを特徴とする請求項１０に記載の印刷制御装置。
【請求項１２】
前記生成手段は、前記特定の被写体の実寸法に基づいて、前記印刷媒体に前記特定の被写体部分を実寸法で印刷する際の当該特定の被写体部分を構成する画素のピッチを前記印刷内容として決定することを特徴とする請求項４に記載の印刷制御装置。
【請求項１３】
前記生成手段は、更に、前記画像データを構成する画素数、前記画像内で前記特定の被写体の占める比率に基づいて、前記印刷媒体に前記特定の被写体部分を実寸法で印刷する際の当該特定の被写体部分を構成する画素のピッチを前記印刷内容として決定することを特徴とする請求項１２に記載の印刷制御装置。
【請求項１４】
前記画像から前記特定の被写体部分を抽出する抽出手段を更に備え、
前記実寸法特定手段は、前記撮像手段による撮像の際の前記特定の被写体までの距離と、前記画像内での前記特定の被写体部分の寸法とに基づいて、前記特定の被写体の実寸法を特定することを特徴とする請求項１２又は１３に記載の印刷制御装置。
【請求項１５】
前記実寸法特定手段は、前記特定の被写体までの距離と、前記画像内での前記特定の被写体部分の寸法と、前記撮像手段による撮像の際の画角とに基づいて、前記特定の被写体の実寸法を特定することを特徴とする請求項１４に記載の印刷制御装置。
【請求項１６】
前記抽出手段により抽出された前記特定の被写体部分及び所定の基準寸法の方眼を表示部に重畳表示させる表示制御手段を更に備えることを特徴とする請求項１４又は１５に記載の印刷制御装置。
【請求項１７】
前記生成手段は、更に、前記印刷対象データに関連する関連情報を含む前記画像ファイルを生成することを特徴とする請求項１〜１６の何れか一項に記載の印刷制御装置。
【請求項１８】
前記生成手段は、更に、前記第１の特定手段により特定された印刷寸法に基づいて、前記関連情報の寸法を変更した前記画像ファイルを生成することを特徴とする請求項１７に記載の印刷制御装置。
【請求項１９】
前記関連情報は、前記印刷対象データに関連する画像を含むことを特徴とする請求項１７又は１８に記載の印刷制御装置。
【請求項２０】
前記第２の特定手段は、印刷装置が印刷可能な印刷媒体の寸法を前記印刷装置から取得して特定することを特徴とする請求項１〜１９の何れか一項に記載の印刷制御装置。
【請求項２１】
前記第２の特定手段は、ユーザによる操作部の所定操作に基づいて指定された印刷媒体の寸法を特定することを特徴とする請求項１〜１９の何れか一項に記載の印刷制御装置。
【請求項２２】
印刷対象となる印刷対象データを取得する取得手段と、
前記取得手段により取得された印刷対象データを印刷媒体に印刷する際の印刷寸法を特定する第１の特定手段と、
前記印刷対象データを前記第１の特定手段により特定された印刷寸法で、一の印刷媒体に印刷可能である印刷媒体の寸法を特定する第２の特定手段と、
を備えたことを特徴とする印刷制御装置。
【請求項２３】
印刷制御装置を用いた印刷制御方法であって、
印刷対象となる印刷対象データを取得する取得処理と、
前記取得処理により取得された印刷対象データを印刷媒体に印刷する際の印刷寸法を特定する第１の特定処理と、
前記印刷対象データを印刷する印刷媒体の寸法を特定する第２の特定処理と、
前記第１の特定処理により特定された印刷寸法と前記第２の特定処理により特定された印刷媒体の寸法とに基づいて前記印刷対象データを印刷する際に複数の印刷媒体に分割するか否かを判別する判別処理と、
を含むことを特徴とする印刷制御方法。
【請求項２４】
印刷制御装置のコンピュータを、
印刷対象となる印刷対象データを取得する取得手段、
前記取得手段により取得された印刷対象データを印刷媒体に印刷する際の印刷寸法を特定する第１の特定手段、
前記印刷対象データを印刷する印刷媒体の寸法を特定する第２の特定手段、
前記第１の特定手段により特定された印刷寸法と前記第２の特定手段により特定された印刷媒体の寸法とに基づいて前記印刷対象データを印刷する際に複数の印刷媒体に分割するか否かを判別する判別手段、
として機能させることを特徴とするプログラム。
【発明の詳細な説明】
【技術分野】
【０００１】
本発明は、印刷制御装置、印刷制御方法及びプログラムに関する。
【背景技術】
【０００２】
従来、撮像された被写体を任意の指定倍率及び指定サイズで出力する技術が提案されている（例えば、特許文献１参照）。
【先行技術文献】
【特許文献】
【０００３】
【特許文献１】特開２００３−２４４５０１号公報
【発明の概要】
【発明が解決しようとする課題】
【０００４】
しかしながら、上記特許文献１の場合、指定倍率及び指定サイズで出力すると一枚の印刷媒体に収まらない場合に複数枚に分割することで印刷可能となるが、分割するか否かをユーザが決める必要がある。
【０００５】
そこで、本発明の課題は、印刷対象データを複数の印刷媒体に分割して印刷する際の処理を簡便にすることができる印刷制御装置、印刷制御方法及びプログラムを提供することである。
【課題を解決するための手段】
【０００６】
上記課題を解決するため、本発明に係る印刷制御装置は、
印刷対象となる印刷対象データを取得する取得手段と、前記取得手段により取得された印刷対象データを印刷媒体に印刷する際の印刷寸法を特定する第１の特定手段と、前記印刷対象データを印刷する印刷媒体の寸法を特定する第２の特定手段と、前記第１の特定手段により特定された印刷寸法と前記第２の特定手段により特定された印刷媒体の寸法とに基づいて前記印刷対象データを印刷する際に複数の印刷媒体に分割するか否かを判別する判別手段と、を備えたことを特徴としている。
【０００７】
また、本発明に係る印刷制御装置は、
印刷対象となる印刷対象データを取得する取得手段と、前記取得手段により取得された印刷対象データを印刷媒体に印刷する際の印刷寸法を特定する第１の特定手段と、前記印刷対象データを前記第１の特定手段により特定された印刷寸法で、一の印刷媒体に印刷可能である印刷媒体の寸法を特定する第２の特定手段と、を備えたことを特徴としている。
【０００８】
また、本発明に係る印刷制御方法は、
印刷制御装置を用いた印刷制御方法であって、印刷対象となる印刷対象データを取得する取得処理と、前記取得処理により取得された印刷対象データを印刷媒体に印刷する際の印刷寸法を特定する第１の特定処理と、前記印刷対象データを印刷する印刷媒体の寸法を特定する第２の特定処理と、前記第１の特定処理により特定された印刷寸法と前記第２の特定処理により特定された印刷媒体の寸法とに基づいて前記印刷対象データを印刷する際に複数の印刷媒体に分割するか否かを判別する判別処理と、を含むことを特徴としている。
【０００９】
また、本発明に係るプログラムは、
印刷制御装置のコンピュータを、印刷対象となる印刷対象データを取得する取得手段、前記取得手段により取得された印刷対象データを印刷媒体に印刷する際の印刷寸法を特定する第１の特定手段、前記印刷対象データを印刷する印刷媒体の寸法を特定する第２の特定手段、前記第１の特定手段により特定された印刷寸法と前記第２の特定手段により特定された印刷媒体の寸法とに基づいて前記印刷対象データを印刷する際に複数の印刷媒体に分割するか否かを判別する判別手段、として機能させることを特徴としている。
【発明の効果】
【００１０】
本発明によれば、印刷対象データを複数の印刷媒体に分割して印刷する際の処理を簡便にすることができる。
【図面の簡単な説明】
【００１１】
【図１】本発明を適用した実施形態１の撮像装置の概略構成を示すブロック図である。
【図２】図１の撮像装置によるファイル生成処理に係る動作の一例を示すフローチャートである。
【図３】図２のファイル生成処理の続きを示すフローチャートである。
【図４】図２のファイル生成処理における寸法特定処理に係る動作の一例を示すフローチャートである。
【図５】図２のファイル生成処理に係る画像の一例を模式的に示す図である。
【図６】図２のファイル生成処理に係る画像の一例を模式的に示す図である。
【図７】本発明を適用した実施形態２の撮像装置の概略構成を示すブロック図である。
【図８】図７の撮像装置によるファイル生成処理に係る動作の一例を示すフローチャートである。
【発明を実施するための形態】
【００１２】
以下に、本発明について、図面を用いて具体的な態様を説明する。ただし、発明の範囲は、図示例に限定されない。
【００１３】
［実施形態１］
図１は、本発明を適用した実施形態１の撮像装置１００の概略構成を示すブロック図である。
図１に示すように、実施形態１の撮像装置１００は、具体的には、撮像部１と、撮像制御部２と、画像データ生成部３と、メモリ４と、記録媒体制御部５と、印刷条件設定部６と、画像処理部７と、表示部８と、外部機器接続部９と、操作入力部１０と、中央制御部１１とを備えている。
また、撮像部１、撮像制御部２、画像データ生成部３、メモリ４、記録媒体制御部５、印刷条件設定部６、画像処理部７、表示部８、外部機器接続部９及び中央制御部１１は、バスライン１２を介して接続されている。
【００１４】
撮像部１は、所定の被写体（例えば、人等）を撮像してフレーム画像を生成する。
具体的には、撮像部１は、レンズ部１ａと、電子撮像部１ｂと、レンズ駆動部１ｃとを備えている。
【００１５】
レンズ部１ａは、例えば、ズームレンズやフォーカスレンズ等の複数のレンズから構成されている。
電子撮像部１ｂは、例えば、ＣＣＤ（Charge Coupled Device）やＣＭＯＳ（Complementary Metal-oxide Semiconductor）等のイメージセンサ（撮像素子）から構成されている。そして、電子撮像部１ｂは、レンズ部１ａの各種レンズを通過した光学像を二次元の画像信号に変換する。
レンズ駆動部１ｃは、例えば、図示は省略するが、ズームレンズを光軸方向に移動させるズーム駆動部、フォーカスレンズを光軸方向に移動させる合焦駆動部等を備えている。
なお、撮像部１は、レンズ部１ａ、電子撮像部１ｂ及びレンズ駆動部１ｃに加えて、レンズ部１ａを通過する光の量を調整する絞り（図示略）を備えても良い。
【００１６】
撮像制御部２は、撮像部１による特定の被写体の撮像を制御する。即ち、撮像制御部２は、図示は省略するが、タイミング発生器、ドライバなどを備えている。そして、撮像制御部２は、タイミング発生器、ドライバにより電子撮像部１ｂを走査駆動して、レンズ部１ａを通過した光学像を電子撮像部１ｂにより所定周期毎に二次元の画像信号に変換させ、当該電子撮像部１ｂの撮像領域から１画面分ずつフレーム画像を読み出して画像データ生成部３に出力させる。
【００１７】
なお、撮像制御部２は、レンズ部１ａのフォーカスレンズに代えて、電子撮像部１ｂを光軸方向に移動させてレンズ部１ａの合焦位置を調整するようにしても良い。
また、撮像制御部２は、ＡＦ（自動合焦処理）、ＡＥ（自動露出処理）、ＡＷＢ（自動ホワイトバランス）等の特定の被写体を撮像する際の条件の調整制御を行っても良い。
【００１８】
画像データ生成部３は、電子撮像部１ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
カラープロセス回路から出力される輝度信号Ｙ及び色差信号Ｃｂ，Ｃｒは、図示しないＤＭＡコントローラを介して、バッファメモリとして使用されるメモリ４にＤＭＡ転送される。
【００１９】
メモリ４は、例えば、ＤＲＡＭ（Dynamic Random Access Memory）等により構成され、画像処理部７や中央制御部１１等の当該装置本体の各部によって処理されるデータ等を一時的に格納する。
【００２０】
記録媒体制御部５は、記録媒体Ｍが着脱自在に構成され、装着された記録媒体Ｍからのデータの読み出しや記録媒体Ｍに対するデータの書き込みを制御する。
即ち、記録媒体制御部５は、所定の符号化方式（例えば、ＪＰＥＧ形式、モーションＪＰＥＧ形式、ＭＰＥＧ形式など）に従って符号化された静止画像の画像データや複数の画像フレームからなる動画像の画像データを記録媒体Ｍから読み出して画像処理部７に転送する。また、画像データは、例えば、焦点距離、装置本体と特定の被写体との間の被写体距離、位置検出部（図示略）により検出された当該画像の撮像場所、撮像時間等の各種情報がＥｘｉｆ情報として付帯されていても良い。
なお、記録媒体Ｍは、例えば、不揮発性メモリ（フラッシュメモリ）等により構成されるが、一例であってこれに限られるものではなく、適宜任意に変更可能である。
【００２１】
印刷条件設定部６は、被写体画像Ｂ（図６（ｂ）参照）を印刷媒体Ｋに印刷する際の印刷条件を設定する。
即ち、印刷条件設定部６は、印刷媒体Ｋの寸法及び印刷の解像度のうち、少なくとも一を印刷条件として設定する。例えば、印刷条件設定部６は、ユーザによる操作入力部１０の所定操作に基づいて指定された印刷媒体Ｋの寸法（例えば、葉書サイズ、Ａ４サイズ、Ｂ５サイズ等）や印刷装置２００（図１参照）による印刷の際の解像度（ｄｐｉ）を印刷条件として設定する。設定された印刷条件は、所定の格納手段（例えば、メモリ４等）に記録される。
なお、印刷条件は、予めデフォルトとして設定されていても良い。また、印刷媒体Ｋとしては、例えば、紙、フィルム等が挙げられるが、一例であってこれに限られるものではなく、適宜任意に変更可能である。
【００２２】
画像処理部７は、画像取得部７ａと、被写体抽出部７ｂと、第１印刷寸法特定部７ｃと、印刷内容決定部７ｄと、第１ファイル生成部７ｅと、ファイル関連付け部７ｆとを具備している。
なお、画像処理部７の各部は、例えば、所定のロジック回路から構成されているが、当該構成は一例であってこれに限られるものではない。
【００２３】
画像取得部７ａは、印刷対象となる印刷対象データを取得する。
即ち、画像取得部（取得手段）７ａは、撮像部１により撮像された特定の被写体を含む一の画像（例えば、撮像画像Ｐ；図５（ａ）参照）の画像データ（印刷対象データ）を取得する。具体的には、画像取得部７ａは、撮像部１及び撮像制御部２による特定の被写体の撮像によって画像データ生成部３により生成された撮像画像Ｐの画像データ（ＲＧＢデータやＹＵＶデータ）の複製をメモリ４から取得したり、記録媒体Ｍに記録されている記録画像の画像データの複製を取得する。
なお、後述する画像処理部７による各処理は、一の画像の画像データ自体に対して行われても良いし、必要に応じて一の画像の画像データを所定の比率で縮小した所定サイズ（例えば、ＶＧＡサイズ等）の縮小画像データに対して行われても良い。
【００２４】
被写体抽出部７ｂは、画像から特定の被写体部分を抽出する。
即ち、被写体抽出部（抽出手段）７ｂは、画像取得部７ａにより取得された一の画像（例えば、撮像画像Ｐ等）から特定の被写体部分を抽出する抽出処理を行う。具体的には、例えば、ユーザによる操作入力部１０の所定操作に基づいて被写体領域Ａ（例えば、魚の部分；図５（ａ）参照）が指定されると、被写体抽出部７ｂは、被写体領域Ａを一の画像から切り抜く処理を行う。このとき、被写体抽出部７ｂは、例えば、一の画像から抽出された被写体領域Ａのうち、不要な領域（例えば、図５（ａ）における魚を保持する手の部分等）を類似領域で置換することで消去して修正するようにしても良い。なお、不要な領域を消去する処理は、公知の技術であるので、ここでは詳細な説明を省略する。
また、ユーザによる操作入力部１０の所定操作に基づいて被写体領域Ａを指定するようにしたが、被写体領域Ａの指定の手法は一例であってこれに限られるものではなく、適宜任意に変更可能である。例えば、被写体抽出部７ｂは、一の画像のコントラストや解像感（例えば、高周波成分の量）等を算出して、ピントの合っている領域を被写体領域Ａとして自動的に抽出するようにしても良い。
【００２５】
また、被写体抽出部７ｂにより抽出された被写体領域Ａに対して、所定のアート変換処理を施して、各種の視覚的効果を有する画像に加工しても良い。ここで、アート変換処理とは、処理対象となる被写体領域Ａに対応する被写体画像Ｂの視覚的効果、即ち、表示部８に表示された状態における表示態様や印刷媒体Ｋに印刷された状態における印刷態様を変化させる画像処理のことである。アート変換処理としては、例えば、墨汁を利用して魚拓をとったような視覚的効果を有する画像に加工する処理等が挙げられる。
なお、処理対象の画像を各種の視覚的効果を有する画像に加工する技術は、例えば、公知の画像処理関連のソフトウェアを用いた処理と略同様の処理によって実現され、ＨＳＶ色空間における色相、彩度、明度などを変更したり各種のフィルタを用いることで行われるが、公知の技術であるので、ここでは詳細な説明を省略する。
【００２６】
第１印刷寸法特定部（特定手段）７ｃは、画像取得部７ａにより取得された画像データに含まれる特定の被写体部分を印刷媒体Ｋに印刷する際の印刷寸法を特定する。具体的には、第１印刷寸法特定部７ｃは、特定の被写体の実寸法を特定する実寸法特定部ｃ１を具備している。
実寸法特定部（実寸法特定手段）７ｃは、撮像部１により撮像される特定の被写体の実寸法（実際の寸法）を特定する。特定の被写体の実寸法とは、現実世界における特定の被写体の少なくとも一の方向の実際の長さを含み、例えば、特定の被写体の光軸に直交する光軸直交方向の長さ等が挙げられる。ここで、光軸直交方向は、撮像素子を構成する複数の画素の配列に係る垂直方向や水平方向に平行な方向となる。
【００２７】
具体的には、実寸法特定部ｃ１は、撮像部１による撮像の際の当該装置本体から特定の被写体までの距離（装置本体と特定の被写体との間の被写体距離）と、画像取得部７ａにより取得された一の画像（例えば、撮像画像Ｐ等）内での被写体領域Ａの寸法とに基づいて、特定の被写体の実寸法を特定する。例えば、実寸法特定部ｃ１は、撮像部１により撮像される特定の被写体に合焦した状態でのフォーカスレンズの光軸方向の位置に基づいて被写体距離を所定の換算手段（例えば、換算プログラムや換算テーブル等）により算出する。また、実寸法特定部ｃ１は、所定の焦点距離で撮像された一の画像での被写体領域Ａの二つの光軸直交方向の構成画素数（寸法）をそれぞれ算出する。そして、実寸法特定部ｃ１は、被写体距離と被写体領域Ａの構成画素数と焦点距離とに基づいて、所定の演算を行って特定の被写体の二つの光軸直交方向の各長さ（特定の被写体の高さと幅に相当する長さ）を実寸法として特定する。
このとき、実寸法特定部ｃ１は、撮像部１による撮像の際の画角を利用して、特定の被写体の実寸法を特定しても良い。例えば、実寸法特定部ｃ１は、撮像部１による特定の被写体の撮像の際のレンズ部の焦点距離に基づいて画角を所定の換算手段（例えば、換算プログラムや換算テーブル等）を用いて算出する。また、実寸法特定部ｃ１は、算出された画角と被写体距離とに基づいて、所定の演算を行って（例えば、三角関数等を利用して）当該被写体距離における一の画像に係る二つの光軸直交方向の実際の長さを算出する。そして、実寸法特定部ｃ１は、一の画像に係る光軸直交方向の実際の長さと、一の画像の二つの光軸直交方向の各画素数に対する被写体領域Ａの構成画素数の占める各比率とに基づいて、所定の演算を行って（例えば、比例関係を利用して）特定の被写体の実寸法を特定する。
【００２８】
印刷内容決定部７ｄは、被写体画像Ｂを印刷する際の印刷内容を決定する。
即ち、印刷内容決定部７ｄは、画像取得部７ａにより取得された一の画像の画像データに含まれる特定の被写体部分を第１印刷寸法特定部７ｃにより特定された印刷寸法で印刷媒体Ｋに印刷する際の印刷内容を決定する。具体的には、印刷内容決定部７ｄは、被写体領域Ａに対応する被写体画像Ｂを実寸法特定部ｃ１により特定された当該特定の被写体の実寸法で印刷媒体Ｋに印刷する際の印刷内容を決定する。
ここで、印刷内容決定部７ｄは、被写体画像Ｂを当該特定の被写体の実寸法で印刷媒体Ｋに印刷する際の被写体領域Ａの拡大縮小率を決定する。例えば、印刷内容決定部７ｄは、実寸法特定部ｃ１により特定された特定の被写体の実寸法に基づいて、印刷媒体Ｋに被写体画像Ｂを実寸法で印刷する際の被写体画像Ｂ（特定の被写体部分）を構成する画素のピッチを印刷内容として決定する。このとき、印刷内容決定部７ｄは、特定の被写体の実寸法に加え、画像取得部７ａにより取得された一の画像（例えば、撮像画像Ｐ等）の画像データを構成する全画素数、当該一の画像の所定方向（例えば、光軸直交方向）の画素数に対する被写体領域Ａの構成画素数の占める比率に基づいて、被写体画像Ｂを実寸法で印刷する際の被写体画像Ｂを構成する画素のピッチを決定しても良い。
また、印刷内容決定部７ｄは、例えば、所定の画素補間処理により被写体画像Ｂを構成する画素を補間して当該画素のピッチを決定しても良い。なお、画素補間処理は、公知の技術であるので、ここでは詳細な説明を省略する。
【００２９】
第１ファイル生成部７ｅは、被写体画像Ｂを第１印刷寸法特定部７ｃにより特定された印刷寸法で所定の寸法の少なくとも一の印刷媒体Ｋに印刷するための印刷用画像Ｃ（図６（ｂ）参照）の画像ファイルを生成する。
即ち、第１ファイル生成部（生成手段）７ｅは、印刷内容決定部７ｄにより決定された印刷内容に基づいて、被写体画像Ｂを実寸法特定部ｃ１により特定された当該特定の被写体の実寸法（実物大）で所定の寸法の少なくとも一の印刷媒体Ｋに印刷するための印刷用画像Ｃの画像ファイルを生成する。具体的には、第１ファイル生成部７ｅは、印刷条件設定部６により設定された印刷媒体Ｋの寸法や印刷の解像度等の印刷条件並びに印刷内容決定部７ｄにより決定された被写体画像Ｂを構成する画素のピッチ等の印刷内容に従って、被写体領域Ａに対応する被写体画像Ｂを当該特定の被写体の実寸法で印刷媒体Ｋに印刷するための印刷用画像Ｃの画像ファイルを生成する。
【００３０】
また、第１ファイル生成部７ｅは、特定の被写体に関連する関連情報Ｉ（図６（ａ）等参照）を含む画像ファイルを生成しても良い。即ち、第１ファイル生成部７ｅは、例えば、特定の被写体に関連する他の画像としての被写体領域Ａの抽出元となる一の画像、当該一の画像の撮像場所、撮像時間、撮像環境（例えば、温度、湿度等）等を関連情報Ｉとする画像ファイルを生成する。
このとき、第１ファイル生成部７ｅは、実寸法特定部ｃ１により特定された特定の被写体の実寸法に基づいて、関連情報Ｉの寸法を変更した画像ファイルを生成しても良い。例えば、第１ファイル生成部７ｅは、被写体領域Ａの拡大縮小率に基づいて、当該拡大縮小率と略等しい割合で関連情報Ｉの寸法を変更した画像ファイルを生成する。また、第１ファイル生成部７ｅは、被写体領域Ａの抽出元となる一の画像の寸法をユーザ所望の縮小率で縮小した画像ファイルを生成しても良い。
なお、画像ファイルには、印刷用画像Ｃにおける関連情報Ｉが合成される位置座標（例えば、右下部等）を示す情報が含まれていても良い。関連情報Ｉの合成位置は、ユーザによる操作入力部１０の所定操作に基づいて設定されても良いし、予めデフォルトとして設定されていても良い。
また、関連情報Ｉは、例えば、一の画像の撮像の際に特定されて、所定の格納手段（例えば、メモリ４等）に一時的に格納されているものとする。
【００３１】
また、第１ファイル生成部７ｅは、実寸法で印刷される被写体画像Ｂが所定の寸法の一の印刷媒体Ｋに収まるか否かを判定し、一の印刷媒体Ｋに収まらないと判定された場合に、複数（例えば、４つ）のファイルに分割して画像ファイルを複数生成しても良い（図６（ａ）参照）。
ここで、複数の画像ファイルの各々は、印刷用画像Ｃ（被写体画像Ｂ）が所定の比率（例えば、略等分等）で複数の部分に分割された分割画像Ｃａの画像データを有している。つまり、各画像ファイルは、何れか一の分割画像Ｃａの画像データに対応して構成されている。
なお、各画像ファイルに対応する分割画像Ｃａが印刷される各印刷媒体Ｋは、同じ寸法であっても良いし、異なる寸法であっても良い。
【００３２】
また、各分割画像Ｃａの画像データは、分割された位置に応じた糊代部（図示略）を有していても良い。即ち、複数の分割画像Ｃａ、…は、各々が一の印刷媒体Ｋに印刷された後、最終的に組み合わせられて被写体画像Ｂ（印刷用画像Ｃ）を構成する。そこで、複数の分割画像Ｃａ、…の画像データの各々について、分割位置に応じた糊代部を設けておくことで、印刷後の組み合わせをより容易に行うことができるようになる。例えば、被写体画像Ｂを４分割した画像ファイルを生成する場合、左上及び右下に対応する各分割画像Ｃａにおける右上及び左下に対応する各分割画像Ｃａ側に所定の大きさの糊代部が設けられても良い。つまり、第１ファイル生成部７ｅは、例えば、互いに異なる寸法となるように分割画像Ｃａを生成し、相対的に小さい分割画像Ｃａの端部に糊代部が設けられた画像ファイルを生成するか、或いは、各分割画像Ｃａが印刷される印刷媒体Ｋの寸法を互いに異ならせ、相対的に大きい印刷媒体Ｋに印刷される分割画像Ｃａの端部に糊代部が設けられた画像ファイルを生成する。
なお、画像ファイルが特定の被写体に関連する関連情報Ｉを含む場合には、第１ファイル生成部７ｅは、関連情報Ｉも同様に分割して、分割された関連情報Ｉを複数の画像ファイルの各々に含ませるようにしても良い。
【００３３】
ファイル関連付け部７ｆは、複数の画像ファイルを関連付ける。
即ち、ファイル関連付け部（関連付け手段）７ｆは、第１ファイル生成部７ｅにより生成された複数の画像ファイルを関連付ける。具体的には、ファイル関連付け部７ｆは、複数の画像ファイルを関連付けて格納するための所定の名称の一のフォルダ（図示略）を生成する。生成された一のフォルダは、所定の格納領域（例えば、記録媒体Ｍ等）に格納される。
なお、複数の画像ファイルを関連付ける手法は、一例であってこれに限られるものではなく、適宜任意に変更可能である。
【００３４】
表示部８は、表示パネル８ａと、表示制御部８ｂとを具備している。
表示パネル８ａは、表示画面内に画像を表示する。また、表示パネル８ａとしては、例えば、液晶表示パネルや有機ＥＬ表示パネルなどが挙げられるが、一例であってこれらに限られるものではない。
【００３５】
表示制御部８ｂは、メモリ４に一時的に格納されている表示用の画像データを読み出して、画像処理部７により復号された所定サイズの画像データに基づいて、所定の画像を表示パネル８ａの表示画面に表示させる制御を行う。具体的には、表示制御部８ｂは、ＶＲＡＭ（Video Random Access Memory）、ＶＲＡＭコントローラ、デジタルビデオエンコーダなど（何れも図示略）を備えている。そして、デジタルビデオエンコーダは、画像処理部７により復号されてＶＲＡＭに記憶されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示パネル８ａに出力する。
例えば、表示制御部８ｂは、静止画撮像モードや動画撮像モードにて、撮像部１及び撮像制御部２による特定の被写体の撮像により生成された複数のフレーム画像を所定のフレームレートで逐次更新しながらライブビュー画像を表示パネル８ａの表示画面に表示させる。また、表示制御部８ｂは、静止画として記録される画像（レックビュー画像）を表示パネル８ａの表示画面に表示させたり、動画として記録中の画像を表示パネル８ａの表示画面に表示させる。
【００３６】
また、表示制御部（表示制御手段）８ｂは、被写体画像Ｂ及び所定の基準寸法の方眼を表示パネル８ａに重畳表示させる（図５（ｂ）参照）。具体的には、表示制御部８ｂは、実寸法特定部ｃ１により特定された特定の被写体の実寸法に基づいて、表示パネル８ａに表示される被写体領域Ａ（例えば、魚等）に対応する被写体画像Ｂが実寸法を模式的に表すように方眼のマス目の寸法の基準寸法（例えば、２×２ｃｍ）を設定する。そして、表示制御部８ｂは、設定された方眼のマス目を背景画像として表示パネル８ａに表示させるとともに、方眼に重畳させて被写体画像Ｂを実物大となるように模式的に表示させる。
【００３７】
外部機器接続部９は、外部機器（例えば、印刷装置２００等）との接続用の端子（例えば、ＵＳＢ端子等）を備え、所定の通信ケーブル（例えば、ＵＳＢケーブル等；図示略）を介してデータの送受信を行う。
具体的には、外部機器接続部９は、例えば、所定の通信ケーブルを介して接続された印刷装置２００に対して、当該装置本体により生成された画像ファイルを送信する。印刷装置２００は、撮像装置１００から送信された画像ファイルを受信すると、当該画像ファイルに基づいて印刷用画像Ｃ（被写体画像Ｂ）を当該特定の被写体の実寸法で所定の寸法の印刷媒体Ｋに印刷する。
なお、外部機器接続部９は、所定の無線通信回線を介して印刷装置２００等の外部機器と情報通信可能に接続するような構成であっても良い。
また、印刷装置２００としては、例えば、PictBridge等に対応した公知の装置を適用可能であり、ここでは詳細な説明を省略する。
【００３８】
操作入力部１０は、当該撮像装置１００の所定操作を行うためのものである。具体的には、操作入力部１０は、被写体の撮像指示に係るシャッタボタン、撮像モードや機能等の選択指示に係る選択決定ボタン、ズーム量の調整指示に係るズームボタン等（何れも図示略）の操作部を備え、当該操作部の各ボタンの操作に応じて所定の操作信号を中央制御部１１に出力する。
【００３９】
中央制御部１１は、撮像装置１００の各部を制御するものである。具体的には、中央制御部１１は、図示は省略するが、ＣＰＵ（Central Processing Unit）等を備え、撮像装置１００用の各種処理プログラム（図示略）に従って各種の制御動作を行う。
【００４０】
＜ファイル生成処理＞
次に、実施形態１の撮像装置１００によるファイル生成処理について、図２〜図６を参照して説明する。
図２及び図３は、撮像装置１００によるファイル生成処理に係る動作の一例を示すフローチャートである。
【００４１】
ファイル生成処理は、ユーザによる操作入力部１０の選択決定ボタンの所定操作に基づいて、メニュー画面に表示された複数の動作モードの中からファイル生成モードが選択指示された場合に、中央制御部１１の制御下にて当該撮像装置１００の各部により実行される処理である。
また、以下に説明するファイル生成処理にあっては、印刷媒体Ｋの寸法や印刷の解像度等の印刷条件が予め設定されているものとする。
【００４２】
図２に示すように、先ず、中央制御部１１のＣＰＵは、ユーザによる操作入力部１０のシャッタボタンの所定操作に基づいて撮像指示が入力されたか否かを判定する（ステップＳ１）。ステップＳ１における撮像指示が入力されたか否かの判定は、当該撮像指示が入力されたと判定されるまで（ステップＳ１；ＹＥＳ）、所定の時間間隔で繰り返し実行される。
【００４３】
ステップＳ１にて、撮像指示が入力されたと判定されると（ステップＳ１；ＹＥＳ）、中央制御部１１のＣＰＵは、撮像制御指令を撮像制御部２に対して出力し、撮像制御部２は、撮像部１を制御して所定の焦点距離で特定の被写体を撮像させる（ステップＳ２；図５（ａ）参照）。具体的には、撮像制御部２は撮像部１により特定の被写体を撮像させ、画像データ生成部３は特定の被写体を含む撮像画像Ｐの画像データを生成してメモリ４に出力する。
【００４４】
次に、画像処理部７の画像取得部７ａは、画像データ生成部３により生成された撮像画像Ｐの画像データ（ＲＧＢデータやＹＵＶデータ）の複製をメモリ４から取得した後（ステップＳ３）、被写体抽出部７ｂは、当該撮像画像Ｐから特定の被写体を抽出する抽出処理を行う（ステップＳ４）。具体的には、被写体抽出部７ｂは、例えば、ユーザによる操作入力部１０の所定操作に基づいて指定された被写体領域Ａ（例えば、魚の部分；図５（ａ）参照）を撮像画像Ｐから切り抜く処理を行う。
【００４５】
次に、実寸法特定部ｃ１は、特定の被写体の実寸法を特定する寸法特定処理（図４参照）を行う（ステップＳ５）。
以下に、寸法特定処理について図４を参照して説明する。図４は、寸法特定処理に係る動作の一例を示すフローチャートである。
【００４６】
図４に示すように、先ず、実寸法特定部ｃ１は、特定の被写体に合焦した状態でのフォーカスレンズの光軸方向の位置に基づいて、当該装置本体から特定の被写体までの距離（被写体距離）を所定の換算手段（例えば、換算プログラムや換算テーブル等）により算出する（ステップＳ５１）。
次に、実寸法特定部ｃ１は、所定の焦点距離で撮像された撮像画像Ｐでの被写体領域Ａの二つの光軸直交方向（即ち、特定の被写体の高さや幅に相当する方向）の各構成画素数を寸法として算出する（ステップＳ５２）。
続けて、実寸法特定部ｃ１は、算出された被写体距離と被写体領域Ａの各構成画素数（寸法）とに基づいて、所定の演算を行って特定の被写体の二つの光軸直交方向の各長さを実寸法として算出する（ステップＳ５３）。
これにより、寸法特定処理を終了する。
【００４７】
図２に戻り、表示制御部８ｂは、実寸法特定部ｃ１により算出された特定の被写体の実寸法に基づいて、方眼のマス目の寸法の基準寸法（例えば、２×２ｃｍ）を設定する（ステップＳ６）。そして、表示制御部８ｂは、基準寸法に設定された方眼のマス目を背景画像として表示パネル８ａに表示させるとともに、方眼に重畳させて被写体画像Ｂを実物大となるように模式的に表示させる（ステップＳ７；図５（ｂ）参照）。
【００４８】
次に、印刷内容決定部７ｄは、予め印刷条件設定部６により設定されている印刷媒体Ｋの寸法や印刷の解像度等の印刷条件を所定の格納手段（例えば、メモリ４等）から取得して（ステップＳ８）、当該印刷条件に従って、被写体画像Ｂを当該特定の被写体の実寸法で印刷媒体Ｋに印刷する際の被写体領域Ａの拡大縮小率を決定する（ステップＳ９）。具体的には、例えば、印刷内容決定部７ｄは、撮像画像Ｐの画像データの全画素数、当該撮像画像Ｐの所定方向の画素数に対する被写体領域Ａの構成画素数の占める比率、特定の被写体の実寸法に基づいて、印刷媒体Ｋに実寸法で印刷する際の被写体画像Ｂの画素のピッチを決定する。
【００４９】
続けて、第１ファイル生成部７ｅは、実寸法で印刷される被写体画像Ｂが印刷条件に係る所定の寸法の一枚の印刷媒体Ｋに収まるか否かを判定する（ステップＳ１０）。具体的には、第１ファイル生成部７ｅは、印刷媒体Ｋに対して所定の向きで被写体画像Ｂを印刷する場合に、当該被写体画像Ｂの二つの光軸直交方向の各長さが印刷媒体Ｋの対応する各方向の長さよりも短いか否かに応じて、被写体画像Ｂが一枚の印刷媒体Ｋに収まるか否かを判定する。
ここで、被写体画像Ｂが一枚の印刷媒体Ｋに収まると判定されると（ステップＳ１０；ＹＥＳ）、図３に示すように、第１ファイル生成部７ｅは、特定の被写体に関連する関連情報Ｉの印刷が指示されているか否かを判定する（ステップＳ１１）。
【００５０】
ステップＳ１１にて、関連情報Ｉの印刷が指示されていると判定されると（ステップＳ１１；ＹＥＳ）、第１ファイル生成部７ｅは、被写体領域Ａの抽出元となる撮像画像Ｐ自体、当該撮像画像Ｐの撮像場所、撮像時間等を関連情報Ｉとして所定の格納手段（例えば、メモリ４等）から取得する（ステップＳ１２）。
続けて、第１ファイル生成部７ｅは、例えば、ユーザによる操作入力部１０の所定操作に基づいて、被写体画像Ｂに対する各種の関連情報Ｉ（例えば、撮像画像Ｐ自体、撮像場所等）の合成位置を設定した後（ステップＳ１３）、被写体画像Ｂの画像データ、関連情報Ｉ及び当該関連情報Ｉの合成位置を示す情報、印刷の解像度、印刷内容決定部７ｄにより決定された被写体画像Ｂの画素のピッチ等を含む印刷用画像Ｃの画像ファイルを生成する（ステップＳ１４）。
そして、第１ファイル生成部７ｅは、生成した印刷用画像Ｃの画像ファイルを記録媒体制御部５に出力し、記録媒体制御部５は、当該画像ファイルを記録媒体Ｍの所定の格納領域に記録させる（ステップＳ１５）。
【００５１】
一方、ステップＳ１１にて、関連情報Ｉの印刷が指示されていないと判定されると（ステップＳ１１；ＮＯ）、第１ファイル生成部７ｅは、処理をステップＳ１４に移行して、被写体画像Ｂの画像データ、印刷の解像度、印刷内容決定部７ｄにより決定された被写体画像Ｂの画素のピッチ等を含む印刷用画像Ｃの画像ファイルを生成する（ステップＳ１４）。そして、記録媒体制御部５は、第１ファイル生成部７ｅから出力された印刷用画像Ｃの画像ファイルを記録媒体Ｍの所定の格納領域に記録させる（ステップＳ１５）。
【００５２】
また、ステップＳ１０にて、被写体画像Ｂが一枚の印刷媒体Ｋに収まらないと判定されると（ステップＳ１０；ＮＯ）、図３に示すように、第１ファイル生成部７ｅは、被写体画像Ｂを実寸法で印刷するために必要な印刷媒体Ｋの枚数（例えば、４枚等）を算出する（ステップＳ１６；図６（ａ）参照）。具体的には、第１ファイル生成部７ｅは、例えば、印刷条件で規定されている印刷媒体Ｋの寸法や被写体画像Ｂの実寸法（例えば、実寸法で印刷する際の被写体画像Ｂの画素のピッチ、画素数、糊代部の有無、関連情報Ｉの有無等）に基づいて、実寸法の被写体画像Ｂを収めるのに必要な印刷媒体Ｋの枚数（例えば、最小限度での必要枚数等）を算出する。
続けて、第１ファイル生成部７ｅは、算出された印刷媒体Ｋの枚数に応じて被写体画像Ｂを所定の比率（例えば、略等分等）で分割して分割画像Ｃａを生成する（ステップＳ１７；図６（ａ）参照）。
なお、印刷媒体Ｋの枚数と被写体画像Ｂの分割数は、必ずしも同数である必要はない。例えば、被写体画像Ｂに対して関連情報Ｉが合成される位置（後述）によっては、被写体画像Ｂの分割数よりも多い枚数の印刷媒体Ｋを用いても良い。
【００５３】
次に、第１ファイル生成部７ｅは、ステップＳ１１の処理と略同様に、関連情報Ｉの印刷が指示されているか否かを判定する（ステップＳ１８）。
ここで、関連情報Ｉの印刷が指示されていると判定されると（ステップＳ１８；ＹＥＳ）、第１ファイル生成部７ｅは、ステップＳ１２の処理と略同様に、関連情報Ｉを所定の格納手段（例えば、メモリ４等）から取得する（ステップＳ１９）。
続けて、第１ファイル生成部７ｅは、分割画像Ｃａに対する各種の関連情報Ｉ（例えば、撮像画像Ｐ自体、撮像場所等）の合成位置を設定する（ステップＳ２０）。具体的には、例えば、各種の関連情報Ｉの合成位置の指定は、ユーザによる操作入力部１０の所定操作に基づいて、複数の分割画像Ｃａ、…に分割される前の被写体画像Ｂに対して行われる。そして、第１ファイル生成部７ｅは、指定された合成位置に重畳された各種の関連情報Ｉを、被写体画像Ｂの分割位置に応じて同様に分割することで、分割された関連情報Ｉと分割画像Ｃａとを対応付ける。
【００５４】
次に、第１ファイル生成部７ｅは、各分割画像Ｃａ毎に、当該分割画像Ｃａの画像データ、当該分割画像Ｃａの被写体画像Ｂに対する位置情報、関連情報Ｉ及び当該関連情報Ｉの合成位置を示す情報、印刷の解像度、印刷内容決定部７ｄにより決定された被写体画像Ｂの画素のピッチ等を含む画像ファイルを生成する（ステップＳ２１）。その後、第１ファイル生成部７ｅは、生成した各分割画像Ｃａの画像ファイルを記録媒体制御部５に出力する。
続けて、ファイル関連付け部７ｆは、第１ファイル生成部７ｅにより生成された複数の画像ファイルを関連付けて格納するための所定の名称の一のフォルダを生成する（ステップＳ２２）。その後、ファイル関連付け部７ｆは、生成した一のフォルダを記録媒体制御部５に出力する。
そして、記録媒体制御部５は、一のフォルダに各分割画像Ｃａの画像ファイルを関連付けて格納し、記録媒体Ｍの所定の格納領域に記録させる（ステップＳ２３）。
【００５５】
一方、ステップＳ１８にて、関連情報Ｉの印刷が指示されていないと判定されると（ステップＳ１８；ＮＯ）、第１ファイル生成部７ｅは、処理をステップＳ２１に移行して、各分割画像Ｃａ毎に、当該分割画像Ｃａの画像データ、当該分割画像Ｃａの被写体画像Ｂに対する位置情報、印刷の解像度、印刷内容決定部７ｄにより決定された被写体画像Ｂの画素のピッチ等を含む画像ファイルを生成する（ステップＳ２１）。
そして、ファイル関連付け部７ｆは、複数の画像ファイルを関連付けて格納するための所定の名称の一のフォルダを生成した後（ステップＳ２２）、記録媒体制御部５は、一のフォルダに各分割画像Ｃａの画像ファイルを関連付けて格納し、記録媒体Ｍの所定の格納領域に記録させる（ステップＳ２３）。
【００５６】
その後、上記の画像ファイルが外部機器接続部９を介して接続された印刷装置２００に対して送信されることで、印刷装置２００は、当該画像ファイルに基づいて印刷用画像Ｃや分割画像Ｃａを当該特定の被写体の実寸法で所定の寸法の印刷媒体Ｋに印刷する。
【００５７】
以上のように、実施形態１の撮像装置１００によれば、特定の被写体を含む一の画像（例えば、撮像画像Ｐ等）の画像データに含まれる特定の被写体部分（被写体領域Ａ）を特定された当該特定の被写体の実寸法で印刷媒体Ｋに印刷する際の印刷内容を決定するので、特定の被写体の実物大の画像（被写体画像Ｂ）を印刷するために基準長を示すもの（例えば、ものさし等）を特定の被写体と一緒に撮像する必要がなくなるとともに、印刷装置２００にて被写体領域Ａの拡大処理や縮小処理といった特別な処理を行うことなく特定の被写体の実物大の画像を印刷することができる。
また、決定された印刷内容に基づいて、特定された当該特定の被写体の実寸法で所定の寸法の少なくとも一の印刷媒体Ｋに被写体画像Ｂを印刷するための画像ファイルを生成するので、当該画像ファイルを利用することで、印刷装置２００にて特定の被写体の実物大の画像（図６（ｂ）参照）を簡便に印刷することできる。具体的には、印刷媒体Ｋの寸法及び印刷の解像度のうち、少なくとも一を印刷条件とし、当該印刷条件に従って、被写体画像Ｂを当該特定の被写体の実寸法で印刷媒体Ｋに印刷するための画像ファイルを生成することができる。
【００５８】
また、特定の被写体の実寸法に基づいて、印刷媒体Ｋに被写体画像Ｂを実寸法で印刷する際の当該被写体画像Ｂを構成する画素のピッチを決定するので、被写体画像Ｂを当該特定の被写体の実寸法で印刷媒体Ｋに印刷する際の被写体領域Ａの拡大縮小率を決定することができ、印刷装置２００にて特定の被写体の実物大の画像をより正確に印刷することできる。このとき、特定の被写体の実寸法に加え、一の画像（例えば、撮像画像Ｐ等）の画像データを構成する全画素数、一の画像内で特定の被写体の占める比率に基づいて、被写体画像Ｂを構成する画素のピッチを決定することで、被写体画像Ｂを当該特定の被写体の実寸法で印刷媒体Ｋに印刷する際の被写体領域Ａの拡大縮小率をより正確に決定することができる。
【００５９】
また、被写体画像Ｂが所定の寸法の一の印刷媒体Ｋに収まらない場合に、複数のファイルに分割して画像ファイルを複数生成するので、これら画像ファイルの各々を利用して印刷装置２００にて印刷された複数の分割画像Ｃａ、…を組み合わせて、特定の被写体の実物大の画像を得ることができる。特に、被写体画像Ｂが複数の部分に分割された複数の分割画像Ｃａ、…の画像データの各々が、分割位置に応じた糊代部を有しておくことで、当該糊代部を利用した貼り合わせを簡便に行うことができる。
また、分割された複数の画像ファイルを関連付けておくことで、これら複数の画像ファイルが分散してしまう虞もなくなり、当該画像ファイルの管理を適正に行うことができる。
【００６０】
さらに、特定の被写体に関連する関連情報Ｉを含む画像ファイルを生成するので、当該画像ファイルを利用することで、特定の被写体の実物大の画像とともに、例えば、特定の被写体に関連する他の画像、当該画像の撮像場所、撮像時間、撮像環境等の各種の関連情報Ｉを印刷することができる。特に、特定の被写体に関連する他の画像を特定の被写体の実物大の画像とともに印刷することで、例えば、記念写真のように主要な被写体と周りの環境や状況等をユーザに対して認識させることができる。
また、特定の被写体の実寸法に基づいて、関連情報Ｉの寸法を変更した画像ファイルを生成することで、例えば、関連情報Ｉを特定の被写体の邪魔にならないような寸法に縮小したり、ユーザに対してより認識させ易いように拡大することができ、ユーザが関連情報Ｉや特定の被写体をより把握し易いような態様で各種の関連情報Ｉを印刷することができる。
【００６１】
また、撮像部１による撮像の際の特定の被写体までの距離（被写体距離）と、一の画像内での被写体領域Ａの寸法とに基づいて、特定の被写体の実寸法を特定するので、基準長を示すもの（例えば、ものさし等）を特定の被写体と一緒に撮像することなく、特定の被写体の実寸法の特定を適正に行うことができる。特に、撮像部１による特定の被写体の撮像の際の画角を利用することで、特定の被写体の実寸法の特定をより適正に行うことができる。
さらに、一の画像から抽出された特定の被写体（被写体画像Ｂ）及び所定の基準寸法の方眼を表示部８に重畳表示させるので、特定された特定の被写体の実寸法をユーザに対して認識させることができる。
【００６２】
なお、上記実施形態１にあっては、一の画像から特定の被写体部分（被写体領域Ａ）を抽出するようにしたが、一例であってこれに限られるものではなく、予め被写体領域Ａのみの画像を取得するようにすれば必ずしも当該装置本体にて特定の被写体部分を抽出する必要はない。即ち、撮像装置１００が被写体抽出部７ｂを具備するか否かは適宜任意に変更可能である。
【００６３】
また、上記実施形態１にあっては、特定の被写体（被写体画像Ｂ）及び所定の基準寸法の方眼を表示パネル８ａに表示するようにしたが、一例であってこれに限られるものではなく、必ずしも特定の被写体及び所定の基準寸法の方眼を表示する必要はない。即ち、撮像装置１００が表示パネル８ａ及び表示制御部８ｂを具備するか否かは適宜任意に変更可能である。
【００６４】
さらに、上記実施形態１にあっては、予め印刷条件が設定されているようにしたが、一例であってこれに限られるものではなく、必ずしも印刷条件を設定しておく必要はない。即ち、撮像装置１００が印刷条件設定部６を具備するか否かは適宜任意に変更可能である。
例えば、印刷条件が設定されていない場合には、公知の規格の複数の印刷媒体Ｋの寸法や印刷の解像度を組み合わせることで、想定される複数の印刷態様に対応する画像ファイルを生成するようにしても良い。この場合、印刷装置２００による印刷の際に、複数の印刷態様に対応する画像ファイルの中で、当該印刷装置２００により印刷可能な形式の一の画像ファイルが自動的に選択されるようにしても良いし、或いは、印刷可能な形式の複数の画像ファイルのうちでユーザ所望の画像ファイルが指定されるようにしても良い。
【００６５】
また、上記実施形態１においては、特定の被写体を切り抜いて特定の被写体部分を実寸法で印刷するための画像ファイルを生成するようにしたが、一例であってこれに限られるものではなく、例えば、特定の被写体部分の外縁に沿って所定の幅の余白を有するようにした画像ファイルを生成しても良いし、特定の被写体部分の切り抜きを行うことなく一の画像そのものを印刷対象として実寸法で印刷できるようにした画像ファイルを生成しても良い。
【００６６】
加えて、上記実施形態１にあっては、取得手段、実寸法特定手段、決定手段としての機能を、中央制御部１１の制御下にて、画像取得部７ａ、実寸法特定部ｃ１、印刷内容決定部７ｄが駆動することにより実現される構成としたが、これに限られるものではなく、中央制御部１１によって所定のプログラム等が実行されることにより実現される構成としても良い。
即ち、プログラムを記憶するプログラムメモリ（図示略）に、取得処理ルーチン、実寸法特定処理ルーチン、決定処理ルーチンを含むプログラムを記憶しておく。そして、取得処理ルーチンにより中央制御部１１のＣＰＵを、撮像手段により撮像された特定の被写体を含む画像の画像データを取得する手段として機能させるようにしても良い。また、実寸法特定処理ルーチンにより中央制御部１１のＣＰＵを、特定の被写体の実寸法を特定する手段として機能させるようにしても良い。また、決定処理ルーチンにより中央制御部１１のＣＰＵを、取得された画像データに含まれる特定の被写体部分を特定された当該特定の被写体の実寸法で印刷媒体Ｋに印刷する際の印刷内容を決定する手段として機能させるようにしても良い。
【００６７】
［実施形態２］
以下に、実施形態２の撮像装置３００について説明する。
実施形態２の撮像装置３００は、以下に詳細に説明する以外の点で上記実施形態１の撮像装置１００と略同様の構成をなし、詳細な説明は省略する。
【００６８】
図７は、本発明を適用した実施形態２の撮像装置３００の概略構成を示すブロック図である。
図７に示すように、実施形態２の撮像装置３００は、撮像部１と、撮像制御部２と、画像データ生成部３と、メモリ４と、記録媒体制御部５と、印刷媒体寸法特定部３１３と、画像処理部３０７と、表示部８と、外部機器接続部９と、操作入力部１０と、中央制御部１１とを備えている。
なお、撮像部１、撮像制御部２、画像データ生成部３、メモリ４、記録媒体制御部５、表示部８、外部機器接続部９、操作入力部１０、中央制御部１１は、実施形態１の撮像装置１００に備わるものと略同様の構成をなし、ここでは詳細な説明は省略する。
【００６９】
印刷媒体寸法特定部３１３は、印刷対象データが印刷される印刷媒体Ｋの寸法を特定する。
即ち、印刷媒体寸法特定部（第２の特定手段）３１３は、印刷対象となる一の画像（例えば、撮像部１により撮像された特定の被写体を含む一の画像等）の画像データ（印刷対象データ）を印刷する印刷媒体Ｋの寸法を特定する。具体的には、印刷媒体寸法特定部３１３は、ユーザによる操作入力部１０の所定操作に基づいて指定された印刷媒体Ｋの寸法（例えば、葉書サイズ、Ａ４サイズ、Ｂ５サイズ等）を特定する。特定された印刷媒体Ｋの寸法は、所定の格納手段（例えば、メモリ４等）に記録される。
【００７０】
画像処理部３０７は、画像取得部７ａと、第２印刷寸法特定部３０７ｃと、分割判別部３０７ｇと、第２ファイル生成部３０７ｅと、ファイル関連付け部７ｆとを具備している。
なお、画像取得部７ａ、ファイル関連付け部７ｆは、実施形態１の撮像装置１００に備わるものと略同様の構成及び機能をなし、ここでは詳細な説明は省略する。
【００７１】
第２印刷寸法特定部（第１の特定手段）３０７ｃは、画像取得部７ａにより取得された画像データ（印刷対象データ）を印刷媒体Ｋに印刷する際の印刷寸法を特定する。
即ち、第２印刷寸法特定部３０７ｃは、上記実施形態１の第１印刷寸法特定部７ｃと略同様に、特定の被写体の実寸法を特定する実寸法特定部ｃ１を具備している。なお、実寸法特定部ｃ１の機能は、上記実施形態１と略同様であり、ここでは詳細な説明は省略する。そして、第２印刷寸法特定部３０７ｃは、画像取得部７ａにより取得された画像データに含まれる特定の被写体部分を実寸法特定部ｃ１により特定された当該特定の被写体の実寸法で印刷媒体Ｋに印刷する際の画像データの印刷寸法を特定する。
また、第２印刷寸法特定部３０７ｃは、画像取得部７ａにより取得された画像データに対応付けられている情報に基づいて印刷寸法を特定する。具体的には、第２印刷寸法特定部３０７ｃは、画像取得部７ａにより取得された画像データに付帯されているＥｘｉｆ情報を参照して、当該Ｅｘｉｆ情報に含まれる被写体画像Ｂを印刷媒体Ｋに印刷する際の印刷寸法を特定する。
また、第２印刷寸法特定部３０７ｃは、ユーザによる操作入力部１０の所定操作に基づいて指定された印刷寸法を特定する。具体的には、ユーザによる操作入力部１０の操作部の所定操作に基づいて、被写体画像Ｂを印刷媒体Ｋに印刷する際の印刷寸法としてユーザ所望の寸法が指定されると、第２印刷寸法特定部３０７ｃは、指定されたユーザ所望の寸法を印刷寸法として特定する。
【００７２】
分割判別部３０７ｇは、画像取得部７ａにより取得された画像データ（印刷対象データ）を印刷する際に複数の印刷媒体Ｋ、…に分割するか否かを判別する。
即ち、分割判別部（判別手段）３０７ｇは、第２印刷寸法特定部３０７ｃにより特定された印刷寸法と印刷媒体寸法特定部３１３により特定された印刷媒体Ｋの寸法とに基づいて画像取得部７ａにより取得された画像データを印刷する際に複数の印刷媒体Ｋ、…に分割するか否かを判別する。具体的には、例えば、分割判別部３０７ｇは、第２印刷寸法特定部３０７ｃにより特定された印刷寸法で印刷される画像データが印刷媒体寸法特定部３１３により特定された寸法の一の印刷媒体Ｋに収まるか否かを判定し、一の印刷媒体Ｋに収まらないと判定された場合に、複数の印刷媒体Ｋ、…に分割すると判別する。
【００７３】
第２ファイル生成部（生成手段）３０７ｅは、分割判別部３０７ｇの判別結果に基づいて、画像取得部７ａにより取得された画像データ（印刷対象データ）を第２印刷寸法特定部３０７ｃにより特定された印刷寸法で、印刷媒体寸法特定部３１３により特定された寸法の一又は複数の印刷媒体Ｋに印刷するための一又は複数の画像ファイルを生成する。
即ち、第２ファイル生成部３０７ｅは、印刷対象データを実寸法特定部ｃ１により特定された当該特定の被写体の実寸法、或いは、画像取得部７ａにより取得された画像データに対応付けられている情報に基づいて特定された印刷寸法、或いは、ユーザによる操作入力部１０の所定操作に基づいて指定された印刷寸法で、印刷媒体寸法特定部３１３により特定された寸法の一又は複数の印刷媒体Ｋに印刷するための一又は複数の画像ファイルを生成する。
具体的には、第２ファイル生成部３０７ｅは、印刷対象データを第２印刷寸法特定部３０７ｃにより特定された印刷寸法で、印刷媒体寸法特定部３１３により特定された寸法の印刷媒体Ｋに印刷する際の印刷内容を決定する。例えば、第２ファイル生成部３０７ｅは、印刷媒体Ｋに印刷対象データを第２印刷寸法特定部３０７ｃにより特定された印刷寸法で印刷する際の当該印刷対象データを構成する画素のピッチを印刷内容として決定する。このとき、第２ファイル生成部３０７ｅは、画像取得部７ａにより取得された一の画像（例えば、撮像画像Ｐ等）の画像データを構成する全画素数、当該一の画像の所定方向（例えば、光軸直交方向）の画素数に対する被写体領域Ａの構成画素数の占める比率に基づいて、印刷媒体Ｋに特定の被写体部分（被写体画像Ｂ）を第２印刷寸法特定部３０７ｃにより特定された印刷寸法で印刷する際の当該特定の被写体部分を構成する画素のピッチを印刷内容として決定しても良い。
そして、第２ファイル生成部３０７ｅは、決定された印刷内容に従って印刷用画像Ｃ（図６（ｂ）参照）の一又は複数の画像ファイルを生成する。具体的には、第２ファイル生成部３０７ｅは、画像取得部７ａにより取得された画像データを複数の印刷媒体Ｋ、…に分割すると分割判別部３０７ｇにより判別された場合に、複数のファイルに分割して印刷用画像Ｃの画像ファイルを複数生成する。
なお、複数の画像ファイルの構成は、上記実施形態１のものと略同様の構成をなし、ここでは詳細な説明は省略する。
【００７４】
なお、第２ファイル生成部３０７ｅは、上記実施形態１の第１ファイル生成部７ｅと略同様の処理を行って、画像取得部７ａにより取得された画像データ（例えば、特定の被写体等）に関連する関連情報Ｉ（例えば、画像データに関連する画像等）を含む画像ファイルを生成しても良い。このとき、第２ファイル生成部３０７ｅは、第１ファイル生成部７ｅと略同様の処理を行って、第２印刷寸法特定部３０７ｃにより特定された印刷寸法に基づいて、関連情報Ｉの寸法を変更した画像ファイルを生成しても良い。
【００７５】
＜ファイル生成処理＞
次に、実施形態２の撮像装置３００によるファイル生成処理について、図８等を参照して説明する。
図８は、撮像装置３００によるファイル生成処理に係る動作の一例を示すフローチャートである。
【００７６】
図８に示すように、先ず、記録媒体制御部５は、ユーザによる操作入力部１０の所定操作に基づいて指定された画像の画像データ（ＲＧＢデータやＹＵＶデータ）の複製を記録媒体Ｍから読み出して、画像処理部７の画像取得部７ａは、読み出された画像データを取得する（ステップＳ１０１）。
【００７７】
次に、第２印刷寸法特定部３０７ｃは、画像取得部７ａにより取得された画像データを印刷媒体Ｋに印刷する際の印刷寸法を特定する（ステップＳ１０２）。具体的には、第２印刷寸法特定部３０７ｃは、ユーザ所望の方法で、特定の被写体を印刷媒体Ｋに印刷する際の印刷寸法を特定する。例えば、第２印刷寸法特定部３０７ｃは、実寸法特定部ｃ１により特定の被写体の実寸法を特定（寸法特定処理；図４参照）して印刷寸法として特定するか、或いは、画像データに付帯されているＥｘｉｆ情報を参照して被写体画像Ｂを印刷媒体Ｋに印刷する際の印刷寸法を特定するか、或いは、ユーザによる操作入力部１０の所定操作に基づいて指定されたユーザ所望の寸法を印刷寸法として特定する。
なお、寸法特定処理は、上記実施形態１と略同様であり、その詳細な説明は省略する。
【００７８】
次に、印刷媒体寸法特定部３１３は、ユーザによる操作入力部１０の所定操作に基づいて指定された印刷媒体Ｋの寸法（例えば、Ｂ５サイズ等）を特定する（ステップＳ１０３）。
続けて、分割判別部３０７ｇは、第２印刷寸法特定部３０７ｃにより特定された印刷寸法で印刷される画像データが印刷媒体寸法特定部３１３により特定された寸法の一の印刷媒体Ｋに収まるか否かを判定する（ステップＳ１０４）。
【００７９】
ステップＳ１０４にて、一枚の印刷媒体Ｋに収まると判定されると（ステップＳ１０４；ＹＥＳ）、第２ファイル生成部３０７ｅは、画像取得部７ａにより取得された画像データを第２印刷寸法特定部３０７ｃにより特定された印刷寸法で、印刷媒体寸法特定部３１３により特定された寸法の一の印刷媒体Ｋに印刷するための印刷用画像Ｃの一の画像ファイルを生成する（ステップＳ１０５）。具体的には、第２ファイル生成部３０７ｅは、印刷媒体Ｋに印刷対象データを第２印刷寸法特定部３０７ｃにより特定された印刷寸法で印刷する際の当該印刷対象データを構成する画素のピッチを印刷内容として決定し、決定された印刷内容に従って印刷用画像Ｃの一の画像ファイルを生成する。
そして、第２ファイル生成部３０７ｅは、生成した印刷用画像Ｃの一の画像ファイルを記録媒体制御部５に出力し、記録媒体制御部５は、当該一の画像ファイルを記録媒体Ｍの所定の格納領域に記録させる（ステップＳ１０６）。
【００８０】
一方、ステップＳ１０４にて、一枚の印刷媒体Ｋに収まらないと判定されると（ステップＳ１０４；ＮＯ）、第２ファイル生成部３０７ｅは、画像取得部７ａにより取得された画像データを第２印刷寸法特定部３０７ｃにより特定された印刷寸法で、印刷媒体寸法特定部３１３により特定された寸法の印刷媒体Ｋに印刷するために必要な印刷媒体Ｋの枚数（例えば、４枚等）を算出し（ステップＳ１０７；図６（ａ）参照）、算出された印刷媒体Ｋの枚数に応じて被写体画像Ｂを所定の比率（例えば、略等分等）で分割して分割画像Ｃａを生成する（ステップＳ１０８；図６（ａ）参照）。なお、ステップＳ１０７、Ｓ１０８における各処理は、上記実施形態１のファイル生成処理におけるＳ１６、Ｓ１７における各処理と略同様であり、その詳細な説明は省略する。
【００８１】
次に、第２ファイル生成部３０７ｅは、画像取得部７ａにより取得された画像データを第２印刷寸法特定部３０７ｃにより特定された印刷寸法で、印刷媒体寸法特定部３１３により特定された寸法の複数の印刷媒体Ｋ、…に印刷するための印刷用画像Ｃの複数の画像ファイルを生成する（ステップＳ１０９）。具体的には、第２ファイル生成部３０７ｅは、印刷媒体Ｋに印刷対象データを第２印刷寸法特定部３０７ｃにより特定された印刷寸法で印刷する際の当該印刷対象データを構成する画素のピッチを印刷内容として決定し、決定された印刷内容に従って各分割画像Ｃａに対応する複数の画像ファイルを生成する。その後、第２ファイル生成部３０７ｅは、生成した各分割画像Ｃａに対応する複数の画像ファイルを記録媒体制御部５に出力する。
続けて、ファイル関連付け部７ｆは、第２ファイル生成部３０７ｅにより生成された複数の画像ファイルを関連付けて格納するための所定の名称の一のフォルダを生成する（ステップＳ１１０）。その後、ファイル関連付け部７ｆは、生成した一のフォルダを記録媒体制御部５に出力する。
そして、記録媒体制御部５は、一のフォルダに各分割画像Ｃａに対応する複数の画像ファイルを関連付けて格納し、記録媒体Ｍの所定の格納領域に記録させる（ステップＳ１１１）。
【００８２】
その後、上記の画像ファイルが外部機器接続部９を介して接続された印刷装置２００に対して送信されることで、印刷装置２００は、当該画像ファイルに基づいて印刷用画像Ｃや分割画像Ｃａを第２印刷寸法特定部３０７ｃにより特定された印刷寸法で印刷媒体寸法特定部３１３により特定された寸法の一又は複数の印刷媒体Ｋに印刷する。
【００８３】
以上のように、実施形態２の撮像装置３００によれば、第２印刷寸法特定部３０７ｃにより特定された印刷寸法と印刷媒体寸法特定部３１３により特定された印刷媒体Ｋの寸法とに基づいて画像取得部７ａにより取得された画像データを印刷する際に複数の印刷媒体Ｋ、…に分割するか否かを判別するので、ユーザに煩雑な操作を行わせることなく複数の印刷媒体Ｋ、…に分割するか否かを自動的に決定することができ、印刷対象データを複数の印刷媒体Ｋ、…に分割して印刷する際の処理を簡便にすることができる。
【００８４】
また、印刷対象データを第２印刷寸法特定部３０７ｃにより特定された印刷寸法で、印刷媒体寸法特定部３１３により特定された寸法の一又は複数の印刷媒体Ｋに印刷するための一又は複数の画像ファイルを生成するので、当該一又は複数の画像ファイルを利用することで、印刷装置２００にて画像データの拡大処理や縮小処理といった特別な処理を行うことなく、印刷対象データを第２印刷寸法特定部３０７ｃにより特定された印刷寸法で印刷媒体寸法特定部３１３により特定された寸法の一又は複数の印刷媒体Ｋに印刷することができる。
具体的には、印刷対象データを複数の印刷媒体Ｋ、…に分割すると判別された場合に、自動的に、複数のファイルに分割して画像ファイルを複数生成することができる。また、例えば、実寸法特定部ｃ１により特定された当該特定の被写体の実寸法、或いは、画像取得部７ａにより取得された画像データに対応付けられている情報に基づいて特定された印刷寸法、或いは、ユーザによる操作入力部１０の所定操作に基づいて指定された印刷寸法で、印刷媒体寸法特定部３１３により特定された寸法の印刷媒体Ｋに印刷する際の印刷内容を決定して、決定された印刷内容に従って一又は複数の画像ファイルを生成することができる。
【００８５】
また、印刷媒体Ｋに印刷対象データを第２印刷寸法特定部３０７ｃにより特定された印刷寸法で印刷する際の当該印刷対象データを構成する画素のピッチを印刷内容として決定するので、印刷対象データを第２印刷寸法特定部３０７ｃにより特定された印刷寸法で印刷する際の拡大縮小率を決定することができる。特に、印刷対象データを構成する全画素数、画像内で特定の被写体の占める比率に基づいて、印刷媒体Ｋに特定の被写体部分を第２印刷寸法特定部３０７ｃにより特定された印刷寸法で印刷する際の当該特定の被写体部分を構成する画素のピッチを印刷内容として決定するので、特定の被写体部分を第２印刷寸法特定部３０７ｃにより特定された印刷寸法で印刷する際の特定の被写体部分の拡大縮小率を決定することができる。
【００８６】
なお、本発明は、上記実施形態１、２に限定されることなく、本発明の趣旨を逸脱しない範囲において、種々の改良並びに設計の変更を行っても良い。
例えば、上記実施形態１、２にあっては、複数の画像ファイルを関連付けるようにしたが、一例であってこれに限られるものではなく、必ずしも複数の画像ファイルを関連付ける必要はない。即ち、撮像装置１００、３００がファイル関連付け部７ｆを具備するか否かは適宜任意に変更可能である。
【００８７】
また、上記実施形態１、２にあっては、印刷対象データとして、一の画像の画像データを例示したが、一例であってこれに限られるものではなく、例えば、画像データ以外のテキストデータ等であっても良い。
【００８８】
さらに、上記実施形態１、２にあっては、印刷媒体Ｋの寸法をユーザによる操作入力部１０の所定操作に基づいて特定するようにしたが、一例であってこれに限られるものではなく、印刷媒体Ｋの寸法の特定方法は適宜任意に変更可能である。
例えば、撮像装置１００、３００は、印刷装置２００により印刷可能な複数の印刷媒体Ｋの寸法を当該印刷装置２００から取得して、これら複数の印刷媒体Ｋの寸法の中で、ユーザによる操作入力部１０の所定操作に基づいて指定されたユーザ所望の寸法を特定するようにしても良い。
また、例えば、撮像装置１００、３００は、印刷対象データを印刷媒体Ｋに印刷する際の印刷寸法に基づいて所定の演算を行って、印刷可能な印刷媒体Ｋの寸法を自動的に特定するようにしても良い。例えば、印刷対象データの印刷寸法がＡ３サイズに収まる程度の寸法の場合には、印刷媒体Ｋの寸法としてＡ３サイズを特定し、印刷対象データの印刷寸法がＡ４サイズに収まる程度の寸法の場合には、印刷媒体Ｋの寸法としてＡ４サイズを特定する。
【００８９】
また、上記実施形態１、２にあっては、更に、複数の印刷媒体Ｋに分割すると判別された場合に、印刷媒体Ｋ（例えば、印刷用紙）の種類とその枚数の組み合わせ（例えば、Ａ４で４枚、Ｂ５で６枚等）を表示部８に表示してユーザに報知するようにしても良い。
【００９０】
また、上記実施形態１、２にあっては、印刷媒体Ｋの数の算出を所定の演算で行うようにしたが、一例であってこれに限られるものではなく、印刷媒体Ｋの数の算出手法は適宜任意に変更可能であり、例えば、所定の換算用テーブルを登録しておき、そのテーブルを参照するようにしても良い。
【００９１】
さらに、撮像装置（印刷制御装置）１００、３００の構成は、上記実施形態１、２に例示したものは一例であり、これに限られるものではない。
【００９２】
加えて、上記実施形態２にあっては、取得手段、第１の特定手段、第２の特定手段、判別手段としての機能を、中央制御部１１の制御下にて、画像取得部７ａ、第２印刷寸法特定部３０７ｃ、印刷媒体寸法特定部３１３、分割判別部３０７ｇが駆動することにより実現される構成としたが、これに限られるものではなく、中央制御部１１によって所定のプログラム等が実行されることにより実現される構成としても良い。
即ち、プログラムを記憶するプログラムメモリ（図示略）に、取得処理ルーチン、第１の特定処理ルーチン、第２の特定処理ルーチン、判別処理ルーチンを含むプログラムを記憶しておく。そして、取得処理ルーチンにより中央制御部１１のＣＰＵを、印刷対象となる印刷対象データを取得する手段として機能させるようにしても良い。また、第１の特定処理ルーチンにより中央制御部１１のＣＰＵを、取得された印刷対象データを印刷媒体Ｋに印刷する際の印刷寸法を特定する手段として機能させるようにしても良い。また、第２の特定処理ルーチンにより中央制御部１１のＣＰＵを、印刷対象データを印刷する印刷媒体Ｋの寸法を特定する手段として機能させるようにしても良い。また、判別処理ルーチンにより中央制御部１１のＣＰＵを、特定された印刷寸法と印刷媒体Ｋの寸法とに基づいて印刷対象データを印刷する際に複数の印刷媒体Ｋに分割するか否かを判別する手段として機能させるようにしても良い。
【００９３】
同様に、生成手段、実寸法特定手段、関連付け手段、抽出手段、表示制御手段についても、中央制御部１１のＣＰＵによって所定のプログラム等が実行されることにより実現される構成としても良い。
【００９４】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００９５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
印刷対象となる印刷対象データを取得する取得手段と、
前記取得手段により取得された印刷対象データを印刷媒体に印刷する際の印刷寸法を特定する第１の特定手段と、
前記印刷対象データを印刷する印刷媒体の寸法を特定する第２の特定手段と、
前記第１の特定手段により特定された印刷寸法と前記第２の特定手段により特定された印刷媒体の寸法とに基づいて前記印刷対象データを印刷する際に複数の印刷媒体に分割するか否かを判別する判別手段と、
を備えたことを特徴とする印刷制御装置。
＜請求項２＞
前記判別手段の判別結果に基づいて、前記印刷対象データを前記第１の特定手段により特定された印刷寸法で、前記第２の特定手段により特定された寸法の一又は複数の印刷媒体に印刷するための一又は複数の画像ファイルを生成する生成手段を更に備えることを特徴とする請求項１に記載の印刷制御装置。
＜請求項３＞
前記生成手段は、更に、前記印刷対象データを前記第１の特定手段により特定された印刷寸法で、前記第２の特定手段により特定された寸法の印刷媒体に印刷する際の印刷内容を決定し、当該印刷内容に従って前記一又は複数の画像ファイルを生成することを特徴とする請求項２に記載の印刷制御装置。
＜請求項４＞
前記取得手段により取得される印刷対象データは、撮像手段により撮像された画像の特定の被写体部分を含む画像データであって、
前記第１の特定手段は、更に、前記特定の被写体の実寸法を特定する実寸法特定手段を有し、前記取得手段により取得された画像データに含まれる前記特定の被写体部分を前記実寸法特定手段により特定された当該特定の被写体の実寸法で印刷媒体に印刷する際の前記画像データの印刷寸法を特定することを特徴とする請求項３に記載の印刷制御装置。
＜請求項５＞
前記第１の特定手段は、前記取得手段により取得された印刷対象データに対応付けられている情報に基づいて印刷寸法を特定することを特徴とする請求項３に記載の印刷制御装置。
＜請求項６＞
前記第１の特定手段は、ユーザによる操作部の所定操作に基づいて指定された印刷寸法を特定することを特徴とする請求項３に記載の印刷制御装置。
＜請求項７＞
前記生成手段は、前記印刷対象データを複数の印刷媒体に分割すると前記判別手段により判別された場合に、複数のファイルに分割して前記画像ファイルを複数生成することを特徴とする請求項３〜６の何れか一項に記載の印刷制御装置。
＜請求項８＞
前記生成手段により生成された前記複数の画像ファイルを関連付ける関連付け手段を更に備えることを特徴とする請求項７に記載の印刷制御装置。
＜請求項９＞
前記複数の画像ファイルの各々は、前記印刷対象データが複数の部分に分割された分割画像のデータを有し、
前記分割画像のデータは、分割位置に応じて糊代部を有することを特徴とする請求項７又は８に記載の印刷制御装置。
＜請求項１０＞
前記生成手段は、前記印刷媒体に前記印刷対象データを前記第１の特定手段により特定された印刷寸法で印刷する際の当該印刷対象データを構成する画素のピッチを前記印刷内容として決定することを特徴とする請求項３〜９の何れか一項に記載の印刷制御装置。
＜請求項１１＞
前記生成手段は、更に、前記印刷対象データを構成する画素数、前記画像内で特定の被写体の占める比率に基づいて、前記印刷媒体に特定の被写体部分を前記第１の特定手段により特定された印刷寸法で印刷する際の当該特定の被写体部分を構成する画素のピッチを前記印刷内容として決定することを特徴とする請求項１０に記載の印刷制御装置。
＜請求項１２＞
前記生成手段は、前記特定の被写体の実寸法に基づいて、前記印刷媒体に前記特定の被写体部分を実寸法で印刷する際の当該特定の被写体部分を構成する画素のピッチを前記印刷内容として決定することを特徴とする請求項４に記載の印刷制御装置。
＜請求項１３＞
前記生成手段は、更に、前記画像データを構成する画素数、前記画像内で前記特定の被写体の占める比率に基づいて、前記印刷媒体に前記特定の被写体部分を実寸法で印刷する際の当該特定の被写体部分を構成する画素のピッチを前記印刷内容として決定することを特徴とする請求項１２に記載の印刷制御装置。
＜請求項１４＞
前記画像から前記特定の被写体部分を抽出する抽出手段を更に備え、
前記実寸法特定手段は、前記撮像手段による撮像の際の前記特定の被写体までの距離と、前記画像内での前記特定の被写体部分の寸法とに基づいて、前記特定の被写体の実寸法を特定することを特徴とする請求項１２又は１３に記載の印刷制御装置。
＜請求項１５＞
前記実寸法特定手段は、前記特定の被写体までの距離と、前記画像内での前記特定の被写体部分の寸法と、前記撮像手段による撮像の際の画角とに基づいて、前記特定の被写体の実寸法を特定することを特徴とする請求項１４に記載の印刷制御装置。
＜請求項１６＞
前記抽出手段により抽出された前記特定の被写体部分及び所定の基準寸法の方眼を表示部に重畳表示させる表示制御手段を更に備えることを特徴とする請求項１４又は１５に記載の印刷制御装置。
＜請求項１７＞
前記生成手段は、更に、前記印刷対象データに関連する関連情報を含む前記画像ファイルを生成することを特徴とする請求項１〜１６の何れか一項に記載の印刷制御装置。
＜請求項１８＞
前記生成手段は、更に、前記第１の特定手段により特定された印刷寸法に基づいて、前記関連情報の寸法を変更した前記画像ファイルを生成することを特徴とする請求項１７に記載の印刷制御装置。
＜請求項１９＞
前記関連情報は、前記印刷対象データに関連する画像を含むことを特徴とする請求項１７又は１８に記載の印刷制御装置。
＜請求項２０＞
前記第２の特定手段は、印刷装置が印刷可能な印刷媒体の寸法を前記印刷装置から取得して特定することを特徴とする請求項１〜１９の何れか一項に記載の印刷制御装置。
＜請求項２１＞
前記第２の特定手段は、ユーザによる操作部の所定操作に基づいて指定された印刷媒体の寸法を特定することを特徴とする請求項１〜１９の何れか一項に記載の印刷制御装置。
＜請求項２２＞
印刷対象となる印刷対象データを取得する取得手段と、
前記取得手段により取得された印刷対象データを印刷媒体に印刷する際の印刷寸法を特定する第１の特定手段と、
前記印刷対象データを前記第１の特定手段により特定された印刷寸法で、一の印刷媒体に印刷可能である印刷媒体の寸法を特定する第２の特定手段と、
を備えたことを特徴とする印刷制御装置。
＜請求項２３＞
印刷制御装置を用いた印刷制御方法であって、
印刷対象となる印刷対象データを取得する取得処理と、
前記取得処理により取得された印刷対象データを印刷媒体に印刷する際の印刷寸法を特定する第１の特定処理と、
前記印刷対象データを印刷する印刷媒体の寸法を特定する第２の特定処理と、
前記第１の特定処理により特定された印刷寸法と前記第２の特定処理により特定された印刷媒体の寸法とに基づいて前記印刷対象データを印刷する際に複数の印刷媒体に分割するか否かを判別する判別処理と、
を含むことを特徴とする印刷制御方法。
＜請求項２４＞
印刷制御装置のコンピュータを、
印刷対象となる印刷対象データを取得する取得手段、
前記取得手段により取得された印刷対象データを印刷媒体に印刷する際の印刷寸法を特定する第１の特定手段、
前記印刷対象データを印刷する印刷媒体の寸法を特定する第２の特定手段、
前記第１の特定手段により特定された印刷寸法と前記第２の特定手段により特定された印刷媒体の寸法とに基づいて前記印刷対象データを印刷する際に複数の印刷媒体に分割するか否かを判別する判別手段、
として機能させることを特徴とするプログラム。
【符号の説明】
【００９６】
１００、３００  撮像装置
１      撮像部
６      印刷条件設定部
７      画像処理部
７ａ    画像取得部
７ｂ    被写体抽出部
７ｃ    第１印刷寸法特定部
３０７ｃ  第２印刷寸法特定部
ｃ１    実寸法特定部
７ｄ    印刷内容決定部
７ｅ    第１ファイル生成部
３０７ｅ  第２ファイル生成部
７ｆ    ファイル関連付け部
３０７ｇ  分割判別部
８      表示部
８ａ    表示パネル
８ｂ    表示制御部
３１３  印刷媒体寸法特定部
２００  印刷装置
【図１】
2014068333.tif 000003
【図２】
2014068333.tif 000004
【図３】
2014068333.tif 000005
【図４】
2014068333.tif 000006
【図７】
2014068333.tif 000007
【図８】
2014068333.tif 000008
【図５】
2014068333.tif 000009
【図６】
2014068333.tif 000010